(57)【要約】【課題】発光素子を提供すること。【解決手段】発光素子は、発光チップ、ハウジング、及び支持部を含む。発光チップは、光を発生させる。ハウジングは、前面側に配置されて発光チップが配置された前面部と、背面側に配置されて断面積が減少するように傾いて形成された背面部と、を含む。支持部は、外部から提供される底面上に配置されるとき、底面と向い合う背面部の一方の側に配置され、底面と少なくとも一部が接触するように形成されて前記背面部を支持する。これによって、発光素子を安定的に配置することができるため、作業性を向上させることができる。【選択図】図１
2010087481.tif 000002
【特許請求の範囲】
【請求項１】
光を発生させる発光チップと、
前面側に配置されて前記発光チップが配置された前面部と、背面側に配置されて断面積が減少するように傾いて形成された背面部と、を含むハウジングと、
外部から提供される底面上に配置されるとき、前記底面と向い合う前記背面部の一方の側に配置されて前記底面と少なくとも一部が接触するように形成され、前記背面部を支持する支持部と、を具備することを特徴とする発光素子。
【請求項２】
前記支持部は、前記ハウジングの前記背面部から突出して形成され、前記背面部と一体に形成されることを特徴とする請求項１に記載の発光素子。
【請求項３】
前記支持部は、
前記ハウジングの前面部及び前記ハウジングの背面部の境界から前記背面部に向って延長されて形成されることを特徴とする請求項１に記載の発光素子。
【請求項４】
前記前面部の背面から前記支持部の一端までの長さは、前記前面部の背面から前記発光素子の質量中心までの長さより長いことを特徴とする請求項１に記載の発光素子。
【請求項５】
前記ハウジングの背面部の一端が前記底面に接触するように前記背面部に外力が印加されているとき、前記支持部と前記底面とが接触した地点を基準に、前記発光素子の質量中心から作用する前記発光素子自体の重量の作用方向の延長線と前記底面との第１交差点は、前記外力の作用方向の延長線と前記底面との第２交差点より前記質量中心側に位置することを特徴とする請求項１に記載の発光素子。
【請求項６】
前記支持部は、
前記ハウジングの背面部の一端が前記底面に向って移動するように前記背面部に印加されている外力が除去されるとき、前記背面部を初期状態に回復させる大きさを有することを特徴とする請求項１乃至３の何れか一項に記載の発光素子。
【請求項７】
第１電極及び第２電極を含む発光チップと、
前記発光チップの前記第１電極と電気的に接続された第１リードフレームと、
前記発光チップの前記第２電極と電気的に接続された第２リードフレームと、
前記第１及び第２リードフレームを基準に第１側に配置され、前記発光チップを収容する前面部と、前記第１及び第２リードフレームを基準に前記第１側の反対側である第２側に配置されて断面積が減少するように傾いて形成された背面部と、を含むハウジングと、
外部から提供される低面上に配置されるとき、前記底面と向い合う前記背面部の一方の側に配置され、前記底面と少なくとも一部が接触するように形成されて前記背面部を支持する支持部と、を具備することを特徴とする発光素子。
【請求項８】
前記支持部は、前記ハウジングの前記背面部から突出して形成され、前記背面部と一体に形成されることを特徴とする請求項７に記載の発光素子。
【請求項９】
前記支持部は、
前記ハウジングの前面部及び前記ハウジングの背面部の境界から前記背面部に向って延長されて形成されることを特徴とする請求項７に記載の発光素子。
【請求項１０】
前記前面部の背面から前記支持部の一端までの長さは、前記前面部の背面から前記発光素子の質量中心までの長さより長いことを特徴とする請求項７に記載の発光素子。
【請求項１１】
前記ハウジングの背面部の一端が前記底面に接触するように前記背面部に外力が印加されているとき、前記支持部と前記底面とが接触した地点を基準に、前記発光素子の質量中心から作用する前記発光素子自体の重量の作用方向の延長線と前記底面との第１交差点は、前記外力の作用方向の延長線と前記底面との第２交差点より前記質量中心側に位置することを特徴とする請求項７に記載の発光素子。
【請求項１２】
前記支持部は、
前記ハウジングの背面部の一端が前記底面に向って移動するように前記背面部に印加されている外力が除去されるとき、前記背面部を初期状態に回復させる大きさを有することを特徴とする請求項７乃至９の何れか一項に記載の発光素子。
【発明の詳細な説明】
【技術分野】
【０００１】
本発明は、発光素子に関し、より詳細には作業性を向上させうる発光素子に関する。
【背景技術】
【０００２】
一般的に、発光ダイオード（ｌｉｇｈｔ  ｅｍｉｔｔｉｎｇ  ｄｉｏｄｅ；ＬＥＤ）は、発光効率が高く、寿命が長く、消費電力が低く、環境に優しいという多くの長所があり、これを用いる技術分野が増加しつつある。
【０００３】
発光ダイオードは、その使用用途にしたがって多様な構造で製造することができる。例えば、発光ダイオードは用途にしたがって、チップ型（ｃｈｉｐ）、トップ型（ｔｏｐ−ｖｉｅｗ）、側面発光型（ｓｉｄｅ−ｖｉｅｗ）、パワー型（ｐｏｗｅｒ）、及びランプ型（ｌａｍｐ）などの多様な構造で製造することができる。このうち、側面発光ダイオードは、モバイル機器、ノートブックコンピュータ、ナビゲーションなどに用いられるＬＣＤ装置のバックライトとして主に用いられている。
【０００４】
従来の側面発光ダイオードは、前面に位置する前面部及び背面に位置する背面部を含むハウジングを具備する。前記前面部には、光を発生させる発光チップが配置され、前記背面部は、射出成型上の問題によって傾くように形成される。
【０００５】
最近、側面発光ダイオードは、高効率などの理由からパッケージのデザインが変わってきており、特に前面部の長さが短くなりつつあり、背面部の長さは側面発光ダイオード全体の長さを固定させるために前面部の長さの減少に対応して増加しつつある。
【０００６】
よって、背面部の長さの増加による前記側面発光ダイオードの質量の中心は後ろに移動され、前記側面発光ダイオードが所定の底面上に配置されるとき、前記底面と接触する面積が減少して後ろに傾いて不安定性になるという問題が発生する。この問題によって、作業者が側面発光ダイオードの製造作業や設置作業を行うとき、不便さを招き、作業性が低下するという問題がある。
【先行技術文献】
【特許文献】
【０００７】
【特許文献１】韓国特許２００８−００６９０４７号公報
【発明の概要】
【発明が解決しようとする課題】
【０００８】
そこで、本発明は、上記問題に鑑みてなされたものであり、本発明の目的とするところは、作業性を向上させる発光素子を提供することにある。
【課題を解決するための手段】
【０００９】
本発明の一実施形態に係る発光素子は、発光チップ、ハウジング、及び支持部を含む。前記発光チップは、光を発生させる。前記ハウジングは、前面側に配置されて前記発光チップが配置された前面部と、背面側に配置されて傾くように形成された背面部と、を含む。前記支持部は、外部から提供される底面上に配置されるとき、前記底面と向い合う前記背面部の一方の側に配置されて前記底面と少なくとも一部が接触するように形成され、前記背面部を支持する支持部と、を具備する。
【００１０】
また、前記支持部は、前記ハウジングの背面部から突出して形成され、前記背面部と一体に形成されるようにしてもよい。
【００１１】
また、前記支持部は、前記ハウジングの前面部及び前記ハウジングの背面部の境界から前記背面部に向って延長されて形成されるようにしてもよい。
【００１２】
また、前記前面部の背面から前記支持部の一端までの長さは、前記前面部の背面から前記発光素子の質量中心までの長さより長くてもよい。
【００１３】
また、前記ハウジングの背面部の一端が前記底面に接触するように前記背面部に外力が印加されているとき、前記支持部と前記底面とが接触した地点を基準に、前記発光素子の質量中心から作用する前記発光素子自体の重量の作用方向の延長線と前記底面との第１交差点は、前記外力の作用方向の延長線と前記底面との第２交差点より前記質量中心側に位置するようにしてもよい。
【００１４】
また、前記支持部は、前記ハウジングの背面部の一端が前記底面に向って移動するように前記背面部に印加されている外力が除去されるとき、前記背面部が初期状態に回復可能な大きさを有するようにしてもよい。
【００１５】
本発明の他の実施形態に係る発光素子は、発光チップ、第１リードフレーム、第２リードフレーム、ハウジング、及び支持部を含む。前記発光チップは、第１電極及び第２電極を含む。前記第１リードフレームは、前記発光チップの前記第１電極と電気的に接続される。前記第２リードフレームは、前記発光チップの前記第２電極と電気的に接続される。前記ハウジングは、前記第１及び第２リードフレームを基準に第１側に配置され、前記発光チップを収容する前面部と、前記第１及び第２リードフレームを基準に前記第１側の反対側である第２側に配置されて傾くように形成された背面部と、を含む。前記支持部は、外部から提供される低面上に配置されるとき、前記底面と向い合う前記背面部の一方の側に位置し、前記底面と少なくとも一部が接触するように形成されて前記背面部を支持する。
【００１６】
また、前記支持部は、前記ハウジングの背面部から突出して形成され、前記背面部と一体に形成されるようにしてもよい。
【００１７】
また、前記支持部は、前記ハウジングの前面部及び前記ハウジングの背面部の境界から前記背面部に向って延長されて形成されるようにしてもよい。
【００１８】
また、前記前面部の背面から前記支持部の一端までの長さは、前記前面部の背面から前記発光素子の質量中心までの長さより長くてもよい。
【００１９】
また、前記ハウジングの背面部の一端が前記底面に接触するように前記背面部に外力が印加されているとき、前記支持部と前記底面とが接触した地点を基準に、前記発光素子の質量中心から作用する前記発光素子自体の重量の作用方向の延長線と前記底面との第１交差点は、前記外力の作用方向の延長線と前記底面との第２交差点より前記質量中心側に位置するようにしてもよい。
【００２０】
また、前記支持部は、前記ハウジングの背面部の一端が前記底面に向って移動するように前記背面部に印加されている外力が除去されるとき、前記背面部が初期状態に回復可能な大きさを有するようにしてもよい。
【発明の効果】
【００２１】
本発明によると、発光素子に支持部を形成し、前記支持部が前記ハウジングの背面部を支持するため、質量中心が後方にあるか或いは外力が後方から作用しても前記発光素子は後ろに倒れることなく安定的に配置することが可能である。
【００２２】
したがって、前記発光素子を製作するとき、作業の容易性を向上させることができ、前記発光素子を印刷回路基板のような他の部品上に装着する場合にもより容易に作業を行うことができる。
【図面の簡単な説明】
【００２３】
【図１】本発明の一実施形態に係る発光素子を示す斜視図である。
【図２】図１に示した発光素子の正面図である。
【図３】図１に示した発光素子の側面図である。
【図４】図１に示した発光素子に外力を加えるとき、前記発光素子の動きを説明するための側面図である。
【図５】図１に示した発光素子に外力を加えるとき、前記発光素子の動きを説明するための側面図である。
【発明を実施するための形態】
【００２４】
以下に添付図面を参照して本発明の好適な実施形態について詳細に説明する。本発明は多様に変更することができ、多様な形態を有することができること、特定の実施形態を図面に例示して本文に詳細に説明する。しかし、これは、本発明を特定の実施形態に限定するのではなく、本発明の思想及び技術範囲に含まれる全ての変更、均等物、乃至代替物を含むことを理解すべきである。各図面を説明しながら類似の参照符号を類似の構成要素に対して付与した。図面において、構造物の寸法は本発明の明確性のために実際より拡大して示した。第１、第２等の用語は、多様な構成要素を説明するために使用することができるが、構成要素は用語によって限定されない。用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。単数の表現は、文脈上、明白に相違が示されない限り、複数の表現を含む。
本出願において、「含む」または「有する」等の用語は、明細書上に記載された特徴、数字、段階、動作、構成要素、部品、又はこれらを組み合わせたものが存在することを意図するものであって、一つまたはそれ以上の他の特徴や数字、段階、動作、構成要素、部品、又はこれらを組み合わせたもの等の存在または付加の可能性を予め排除しないことを理解しなければならない。
なお、異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常的であるか過度に形式的な意味に解釈されない。
【００２５】
図１は、本発明の一実施形態に係る発光素子を示した斜視図であり、図２は、図１に示した発光素子の正面図であり、図３は、図１に示した発光素子の側面図である。
【００２６】
図１〜図３を参照すると、発光素子１００は、発光チップ１１０、第１リードフレーム１２０、第２リードフレーム１３０、ハウジング１４０、及び支持部１５０を含む。前記発光素子１００は、本実施形態では側面発光ダイオードである。
【００２７】
前記発光チップ１１０は光を発生させる。発光チップ１１０は、例えば、前記光を発生させるための外部電源（図示せず）から電源電圧の印加を受けるために、第１電極（図示せず）及び第２電極（図示せず）を含む。
【００２８】
前記第１リードフレーム１２０は、前記発光チップ１１０の第１電極と電気的に接続され、前記第２リードフレーム１３０は、前記発光チップ１１０の第２電極と電気的に接続される。前記第１及び第２電極は、例えば、図２に示したように、いずれか一つに直接接触することで電気的に接続され、残りの一つにはワイヤによって電気的に接続されることが可能である。前記外部電源の電源電圧は、前記第１及び第２フレーム１２０、１３０を通じて前記発光チップ１１０の第１及び第２電極にそれぞれ印加される。
【００２９】
前記ハウジング１４０は、前記発光チップ１１０を内部に収容する。前記ハウジング１４０は、前面部１４２及び背面部１４４を含む。
【００３０】
前記前面部１４２は発光チップ１１０の前面に位置する。例えば、前記前面部１４２は、前記第１及び第２リードフレーム１２０、１３０を基準にして第１側に位置する。図２では、前記第１側は上側であることを示す。前記前面部１４２には前記発光チップ１１０が配置され、前記前面部１４２の前面側に前記発光チップ１１０で発生した光が放出される。
【００３１】
前記背面部１４４は発光チップ１１０の背面に位置する。例えば、前記背面部１４４は、前記第１及び第２リードフレーム１２０、１３０を基準に前記第１側の反対側である第２側に位置する。図２では、前記第２側は下側であることを示す。前記背面部１４４は、前記第１及び第２リードフレーム１２０、１３０から離れるほど断面積が減少するように傾いて形成される。図２及び図３では、前記背面部１４４は、前記発光素子１００の背面から観察するとき、上下左右に全部の大きさが減少するように傾くように形成されている。前記発光素子１００がこのような形状を有するのは、前記ハウジング１４０を射出金型を用いて製作するとき、射出を容易にするために所定の角度に傾けるためである。
【００３２】
前記支持部１５０は、前記背面部１４４の一方の側に配置される。具体的に、前記支持部１５０は、前記発光素子１００を外部から提供される底面１０上に配置させ
るとき、前記底面１０と向い合う前記背面部１４４の一方の側に位置し、前記底面１０と少なくとも一部が接触するように形成される。前記支持部１５０は、傾いている前記背面部１４４が前記発光素子１００自体の重量及び／または外力によって前記底面１０と接触することを防止するように前記底面１０と接触して前記背面部１４４を支持する。
【００３３】
一方、前記底面１０は、前記発光素子１００を製造する過程で前記発光素子１００を置くための作業台のようなものであってもよく、前記発光素子１００を製造した後に前記発光素子１００を所定のモジュールの部品として用いるために設置する他の電気的素子、例えば、前記発光素子１００を駆動するための印刷回路基板であってもよい。
【００３４】
前記支持部１５０は、前記ハウジング１４０の背面部１４４から突出し、前記背面部１４４と一体に形成してもよい。例えば、前記支持部１５０は、ハウジングを成型するとき、同時に成型することができる。
【００３５】
図３では、前記発光素子１００自体の重量は、質量中心点（ＣＧ）で作用する。前記質量中心点は、前記前面部１４２の質量中心（図示せず）と前記背面部１４４の質量中心（図示せず）との間に位置する。
【００３６】
前記発光素子１００が前記支持部１５０を具備しないとき、前記質量中心（ＣＧ）が図３に示したように前記背面部１４４内に位置する場合には、前記背面部１４４が前記底面１０から離隔しているため、外力が加えられなくても発光素子１００自体の重量のみで前記背面部１４４の方向に倒れる。また、前記質量中心点（ＣＧ）が前記前面部１４２内に位置する場合でも、その位置にしたがって所定の外力が加えられると、前記背面部１４４の方向に倒れる。このように、前記支持部１５０を具備しない発光素子が前記底面１０上に配置されるときには、前記発光素子１００は、不安定な状態になって前記背面部１４４の方向に倒れる。
【００３７】
一方、本発明の一実施形態に示した前記発光素子１００が前記支持部１５０を具備する場合、前記支持部１５０が前記底面１０と接触して前記背面部１４４を支持するため、前記発光素子１００自体の重量や外力によって前記発光素子１００が前記背面部１４４の方向に倒れにくい。
【００３８】
前記支持部１５０は、前記背面部１４４を前記底面１０に対して支持することができるため、多様な形状とサイズを有することができる。また、前記支持部１５０は、図１〜図３に示したような一つの部材で構成されることを限定するものではなく、二つ以上の部材で構成されるようにしてもよい。
【００３９】
例えば、前記支持部１５０は、前記ハウジング１４０の前面部１４２及び前記ハウジング１４０の背面部１４４の境界から前記背面部１４４に向って、即ち、前記背面部１４４の前面１４４ａから前記背面部１４４の背面１４４ｂに延長するように形成してもよい。これとは別に、前記支持部１５０は、前記境界から所定距離離隔した地点から前記背面部１４４の背面１４４ｂに向って延長するように形成してもよい。
【００４０】
前記前面部１４２は、前面１４２ａと背面１４２ｂを有する。本実施形態では、前記前面部１４２の背面１４２ｂから前記支持部１５０の一端までの長さ（Ｌ１）は、前記前面部１４２の背面１４２ｂから前記発光素子の質量中心（ＣＧ）までの長さ（Ｌ２）より長い。よって、前記発光素子１００が所定の水平な底面１０上に配置されるとき、前記支持部１５０は、前記質量中心（ＣＧ）で作用する前記発光素子１００自体の重量を支持することができる。
【００４１】
前記発光素子１００が前記底面１０上に配置されるとき、前記支持部１５０によって前記発光素子１００自体の重量を支持することができるため、例えば、前記発光素子１００を製造する作業者は製造過程で前記発光素子１００が後ろに倒れるという問題が発生することなく容易に作業を進行することができる。また、前記底面１０が前記発光素子１００を駆動するための印刷回路基板の一面である場合にも、前記発光素子１００が後ろに倒れる問題が発生することなく容易に前記発光素子１００を前記印刷回路基板に設置することができ、前記発光素子１００の第１及び第２リードフレーム１２０、１３０を前記印刷回路基板にはんだ付けする際に有利な作業空間を確保することができる。
【００４２】
一方、前記支持部１５０は、前記ハウジング１４０の背面部１４４の一端が前記底面１０に向って移動する（傾く）ように前記背面部１４４に印加されている外力が除去されるとき、前記背面１４４を初期状態（傾いていない状態）に回復させるサイズを有する。
【００４３】
これに関わる前記発光素子１００の動きを図面を参照してより詳細に説明する。
図４及び図５は、図１に示した発光素子１００に外力を加えるとき、前記発光素子１００の動きを説明するための側面図である。図４は、前記背面部１４４における背面１４４ｂの端部が前記底面１０に接触しないように外力が加えられた場合を例として説明するための図であり、図５は、前記背面部１４４における背面１４４ｂの一端が前記底面１０に接触するように外力が加えられた場合を例として説明するための図である。
【００４４】
図４を参照すると、前記発光素子１００には、第１外力（Ｆ１）が加えられる。前記第１外力（Ｆ１）は、一例であり、前記背面部１４４における背面１４４ｂの一端が前記底面１０に接触しないぐらいの外力である。前記第１外力（Ｆ１）によって前記発光素子１００は、前記背面部１４４の方向に一定に傾くようになる。
【００４５】
前記発光素子１００には、前記第１外力（Ｆ１）によって前記支持部１５０の端点である第１反力作用点（Ｐ１）で第１反力（Ｒ１）が作用する。この際、前記第１外力（Ｆ１）が除去されると、前記第１反力作用点（Ｐ１）を基準に作用するモーメントは、前記質量中心（ＣＧ）から前記底面１０に向って作用する前記発光素子１００自体の重量（Ｗ）によるモーメントのみが作用するようになる。このため、前記発光素子１００自体の重量（Ｗ）の延長線が前記底面１０に交差する交差点（Ｑ１）が第１反力作用点（Ｐ１）より左側にあると、前記発光素子１００が元の状態に戻ることが可能である。
【００４６】
図５を参照すると、前記発光素子１００には第２外力（Ｆ２）が加えられる。前記第２外力（Ｆ２）は、一例であり、前記背面部１４４における背面１４４ｂの一端が前記底面１００に接触する時の外力である。前記第２外力（Ｆ２）によって前記発光素子１００は、前記背面部１４４の方向に倒れて前記底面１０に接触するようになる。
【００４７】
前記発光素子１００には、前記第２外力（Ｆ２）によって前記支持部１５０の端点である第２反力作用点（Ｐ２）で第２反力（Ｒ２）が作用し、前記背面部１４４の背面１４４ｂの一端である第３反力作用点（Ｐ３）で第３反力（Ｒ３）が作用する。この際、前記第２外力（Ｆ２）が除去されると、前記第２反力作用点（Ｐ２）を基準に作用するモーメントは実質的に前記質量中心（ＣＧ）から前記底面１０に向って作用する前記発光素子１００自体の重量（Ｗ）によるモーメントのみが有意に作用するようになるため（前記第２外力（Ｆ２）によって、前記背面部１４４における背面１４４ｂの一端が前記底面１０に接触したばかりの場合を考えると、その値がほぼ０に近い）、前記発光素子１００自体の重量（Ｗ）の延長線が前記底面１０に交差する交差点（Ｑ２）が前記第２反力作用点（Ｐ２）より左側にあると、前記発光素子１００が元の状態に戻ることができる。
【００４８】
よって、前記ハウジング１４０の背面部１４４の一端が前記底面１０に接触するように、前記背面部１４０に第２外力（Ｆ２）が印加されているとき、前記支持部１５０と前記底面１０とが接触した地点である第２反力作用点（Ｐ２）を基準に、前記発光素子１００の質量中心（ＣＧ）から作用する前記発光素子１００自体の重量（Ｗ）の作用方向の延長線と前記底面１０との交差点（Ｑ２）は、前記第２外力（Ｆ２）の作用方向の延長線と前記底面１０との交差点（Ｑ３）の反対側に位置するように、前記支持部１５０の第１長さ（Ｌ１）を設定することができる。
【００４９】
図３〜図５では、前記支持部１５０の下面は、前記底面１０と接触することを示しているが、前記支持部１５０の端点が前記底面１０と接触するとき、前記端点を中心に反力が作用し、またこれを中心にモーメントが作用するようになる。このため、前記支持部１５０の形状は、前記端点が前記底面１０と接触することが重要である。
【００５０】
前記のような本発明によると、前記発光素子１００の下面に支持部１５０を形成し、前記支持部１５０が前記ハウジング１４０の背面部１４２を支持するため、質量中心（ＣＧ）がハウジング１４０の後方にあるか外力がハウジング１４０の後方から作用しても前記発光素子１００は後ろに倒れることなく、底面１０に対して安定的に配置することが可能である。
【００５１】
よって、前記発光素子１００を製作するとき、作業の容易性を向上させることができ、前記発光素子１００を印刷回路基板のような他の部品上に装着する場合もより容易な作業を行うことができる。
【００５２】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【符号の説明】
【００５３】
１０      底面
１００    発光素子
１１０    発光チップ
１２０    第１リードフレーム
１３０    第２リードフレーム
１４０    ハウジング
１４２    前面部
１４４    背面部
１５０    支持部
ＣＧ      質量中心
【図１】
2010087481.tif 000003
【図２】
2010087481.tif 000004
【図３】
2010087481.tif 000005
【図４】
2010087481.tif 000006
【図５】
2010087481.tif 000007